(57)【特許請求の範囲】
【請求項１】
スプールから繰り出されている釣り糸の糸長をスプール回転数に基づいて計測する釣り用リールの糸長計測装置であって、
太陽電池を有する第１電源と、
前記第１電源により充電される第２電源と、
少なくとも前記第２電源から電力により動作し、前記スプール回転数と前記糸長との関係を学習する糸巻学習部と、
前記糸巻学習部が前記スプール回転数と前記糸長との関係の学習が不成立だったときに学習不成立を報知する不成立報知部と、
複数種類の釣り糸の異なる全長における前記スプール回転数と前記糸長との関係を示す複数の糸巻データを予め記憶している記憶部と、
前記記憶部に記憶された複数の前記糸巻データから一つを選択可能な糸巻データ選択部と、
前記不成立報知部が前記学習不成立を報知すると、前記糸巻データ選択部により前記糸巻データの選択操作を可能にし、その選択結果により前記糸長を算出し、前記学習不成立が報知されないと、前記糸巻学習部で学習された前記スプール回転数と前記糸長との関係により前記糸長を算出する糸長算出部と、
前記糸長算出部による前記糸長の算出結果を表示する表示ユニットと、を備え、
前記糸長算出部は、
前記不成立報知部が前記学習不成立を報知すると、前記糸巻データ選択部の選択画面を前記表示ユニットに表示する、釣り用リールの糸長計測装置。
【請求項２】
前記釣り用リールは、手巻きの両軸受リールであり、
前記第２電源はボタン型の二次電池である、請求項１に記載の釣り用リールの糸長計測装置。
【請求項３】
前記太陽電池は、前記表示ユニットに並べて配置されている、請求項１又は２に記載の釣り用リールの糸長計測装置。
【請求項４】
前記第１電源に電気的に接続され、前記第１電源の受光面と逆側の面を付勢する弾性出力端子をさらに備える、請求項１から３のいずれか１項に記載の釣り用リールの糸長計測装置。
【発明の詳細な説明】
【技術分野】
【０００１】
本発明は、糸長計測装置、特に、スプールから繰り出されている釣り糸の糸長をスプール回転数に基づいて計測する釣り用リールの糸長計測装置に関する。
【背景技術】
【０００２】
電動リールや両軸受リール等の釣り用リールにおいて、スプールから繰り出されている釣り糸の糸長により仕掛けの水深を表示するカウンタと呼ばれる水深表示装置を備えたものが知られている。この水深表示装置を設けることで、仕掛けを正確に同じ棚位置に下ロスことができる。また、投げ釣り時に仕掛けの飛距離を表示することができる。
【０００３】
この種の水深表示装置は、スプール回転時のスプールから繰り出された糸長を計測する糸長計測部（糸長計測装置の一例）と、糸長計測部で計測された糸長により水深を表示するたとえば液晶ディスプレイからなる水深表示部とを有している。
【０００４】
糸長計測部においては、スプール回転数から糸長を計測している。ただし、スプール回転数が多くなると糸巻径が大きくなるため、スプール回転数と糸長との関係は比例してはいない。そこで、糸長計測部において、特定の号数及び長さの釣り糸のスプールの回転位置データと糸長との関係を予め記憶部に記憶した電動リールが従来知られている（例えば、特許文献１参照）。このように記憶部に予めスプールの回転位置データと糸長との関係を記憶することにより、糸長と回転位置データとの関係をその都度学習する必要がなくなり、リールを購入して特定の釣り糸を巻き付ければ、直ちにリールを使用することができる。
【０００５】
従来の糸長計測部では、記憶部にない釣り糸の場合は、最初の釣り糸巻取時にスプール回転数と糸長との関係を学習し、学習結果を記憶することにより糸長を計測している。このように実際に使用する釣り糸を学習して糸長とスプール回転数との関係を求めると、記憶部に記憶された特定の釣り糸であっても、仕掛けの水深の表示精度が高くなる。このため、釣り人によっては、特定の釣り糸であっても新たに釣り糸をスプールに巻き付ける際には、学習を行ってスプール回転数と糸長との関係を求めることがある。
【０００６】
前記従来の糸長計測部は、電動リールであるので、釣り船に搭載される電池から電力が供給されることが多い。このため、電源電圧が低下しにくい。しかし、モータで駆動されない手巻きのリールの場合は、リール内に装着された電池を電源としているため、電源電圧が低下することがある。電源電圧が低下した状態で釣り糸を巻き取って学習すると、学習結果を得ることができないことがある。学習結果を得られない場合、従来は、標準の糸巻データによりスプール回転数の糸長との関係が設定される。この結果、表示された水深と実際の仕掛けの水深との間に大きな差異が生じるおそれがある。
【０００７】
このような電源電圧の低下を防止するために、太陽電池を用いて電源を充電する両軸受リールが従来知られている（例えば、特許文献２参照）。従来の両軸受リールは、第１電源と第１電源により充電される第２電源とを備えている。従来の両軸受リールでは、太陽電池により第２電源が充電されるので、第２電源の電圧の降下が生じにくい。
【先行技術文献】
【特許文献】
【０００８】
【特許文献１】特開２００２−０６５１２７号公報
【特許文献２】特開２０００−１６６４３４号公報
【発明の概要】
【発明が解決しようとする課題】
【０００９】
しかし、太陽電池を用いても、例えば、曇りや雨等で日照時間が少ないと、第２電源の電圧が低下することがある。学習中に第２電源の電圧が低下すると、学習結果を得ることができず、精度が悪い標準の糸巻データが設定されてしまう。この結果、前述したように、表示された水深と実際の仕掛けの水深との大きな相違が生じるおそれがある。これを防止するためには、再度、学習する必要がある。しかし、再度学習を行うためには、リールのスプールに巻き付けられていた釣り糸を巻き始めまでスプールから繰り出す必要がある。そして、釣り糸を再度スプールに巻き終るまで巻き付けなければならない。このように、学習後に再度学習するには煩わしい釣り糸の繰り出し作業が必要になり、一度学習が中断すると、スプール回転数に対する糸長を精度良く計測するのは困難である。
【００１０】
本発明の課題は、太陽電池からなる第１電源と第１電源により充電される第２電源とを有する釣り用リールの糸長計測装置において、学習が中断されてもスプール回転数に対する糸長を容易にかつ精度良く計測できるようにすることある。
【課題を解決するための手段】
【００１１】
発明１に係る釣り用リールの糸長計測装置は、スプールから繰り出されている釣り糸の糸長をスプール回転数に基づいて計測する装置である。糸長計測装置は、第１電源と、第２電源と、糸巻学習部と、不成立報知部と、記憶部と、糸巻データ選択部と、糸長算出部と、表示ユニットと、を備えている。第１電源は、太陽電池を有する。第２電源は、第１電源により充電される。糸巻学習部は、少なくとも第２電源から電力により動作し、スプール回転数と糸長との関係を学習する。不成立報知部は、糸巻学習部がスプール回転数と糸長との関係の学習不成立だったときに学習不成立を報知する。記憶部は、複数種類の釣り糸の異なる全長におけるスプール回転数と糸長との関係を示す複数の糸巻データを予め記憶している。糸巻データ選択部は、記憶部に記憶された複数の糸巻データから一つを選択可能である。糸長算出部は、不成立報知部が学習不成立を報知すると、糸巻データ選択部により糸巻データの選択操作を可能にし、その選択結果により糸長を算出し、学習不成立が報知されないと、糸巻学習部で学習されたスプール回転数と糸長との関係により糸長を算出する。表示ユニットは、糸長算出部による糸長の算出結果を表示する。糸長算出部は、不成立報知部が学習不成立を報知すると、糸巻データ選択部の選択画面を表示ユニットに表示する。
【００１２】
この糸長計測装置では、太陽電池を有する第１電源から第２電源に電力が充電され、その電力で糸巻学習部が動作する。この動作中に第２電源の電力が低下して糸巻学習部によるスプール回転数と糸長との関係の学習が不成立になると、予め記憶された糸巻データの選択を行える。ここでは、学習が不成立であっても標準データではなく、複数の糸巻データから学習している釣り糸に近い糸巻データを選択できる。このため、学習が中断されてもスプール回転数に対する糸長を容易にかつ精度良く計測できるようになる。
【００１３】
また、糸巻データの選択操作を行う選択画面が自動的に表示されるので、糸巻データの選択操作が容易になる。
【００１４】
発明２に係る釣り用リールの糸長計測装置は、発明１に記載の装置において、釣り用リールは、手巻きの両軸受リールであり、第２電源はボタン型の二次電池である。この場合には、第２電源がボタン型の二次電池であるので、２つの電源を設けても、電源のスペースの増加を抑えることができる。
【００１５】
発明３に係る釣り用リールの糸長計測装置は、発明１又は２に記載の装置において、太陽電池は、表示ユニットに並べて配置されている。この場合には、太陽電池が表示ユニットに並べて配置されているので、封止される表示ユニットに太陽電池を配置できる。
【００１６】
発明４に係る釣り用リールの糸長計測装置は、発明１から３のいずれかに記載の装置において、太陽電池に電気的に接続され、太陽電池の受光面と逆側の面を付勢する弾性出力端子をさらに備える。この場合には、太陽電池から発生した電力を第２電源に出力するための出力端子が弾性を有し、太陽電池を付勢している。このため、太陽電池を例えばケース内に設けても太陽電池ががたつきにくくなり、太陽電池を装置内に組み込みやすくなる。
【発明の効果】
【００１７】
本発明によれば、学習が不成立であっても標準データではなく、複数の糸巻データから学習している釣り糸に近い糸巻データを選択できる。このため、学習が中断されてもスプール回転数に対する糸長を容易にかつ精度良く計測できるようになる。
【図面の簡単な説明】
【００１８】
【図１】本発明の一実施形態が採用された両軸受リールの斜視図。
【図２】その平面図。
【図３】図２のIII−III断面図。
【図４】カウンタの平面図。
【図５】カウンタの制御構成を示すブロック図。
【図６】制御部のメインルーチンを示すフローチャート。
【図７】キー入力処理を示すフローチャート。
【図８】糸巻モード処理を示すフローチャート。
【図９】普通学習処理を示すフローチャート。
【図１０】各動作モード処理を示すフローチャート。
【図１１】普通学習処理時の表示ユニットの表示画面の一例を示す図。
【図１２】指定糸巻処理時の表示ユニットの表示画面の一例を示す図。
【図１３】他の実施形態の図９に相当するフローチャート。
【発明を実施するための形態】
【００１９】
＜全体構成＞
図１及び図２において、本発明の一実施形態を採用した両軸受リール１０は、水深表示機能を有する左手巻きの小型のリールである。
【００２０】
両軸受リール１０は、釣り竿に装着されるリール本体１１と、ハンドル１２と、スタードラグ１３と、スプール１４と、を主に備えている。ハンドル１２は、リール本体１１の側方に配置されたスプール回転用のものである。スタードラグ１３、ハンドル１２のリール本体１１側に配置されたドラグ調整用のものである。スプール１４は、リール本体１１に回転自在に装着された釣り糸巻付用のものである。
【００２１】
リール本体１１は、フレーム１７と、フレーム１７の左右側面を覆う第１側カバー１８ａ及び第２側カバー１８ｂと、フレーム１７の前部を覆う前カバー１９と、を有している。フレーム１７は、左右１対の第１側板１７ａ及び第２側板１７ｂと、第１側板１７ａ及び第２側板１７ｂを連結する複数の連結部１７ｃ（図３）と、を有している。ハンドル１２側（図２の左側）の第２側カバー１８ｂには、ハンドル１２の回転軸が回転自在に支持されている。
【００２２】
リール本体１１の上部には、カウンタ１５が固定されている。カウンタ１５は、フレーム１７の前部上面に位置決めして載置されている。カウンタ１５は、第１側カバー１８ａ、第２側カバー１８ｂ及び前カバー１９により三方を囲まれている。
【００２３】
ハンドル１２は、例えば、炭素繊維強化樹脂製であり、略同一の厚みでハンドル１２の回転軸方向の外方に僅かに突出して剛性を高めた構造である。
【００２４】
第１側板１７ａの外側面には、例えばリチウムイオン充電池等のボタン型の二次電池３２ａからなる第２電源３２が収納された電池ケース３５が固定されている。電池ケース３５には、スプール１４の回転数（スプール１４が釣り糸の巻き取りを開始してから何回転したか）及び回転方向を検出するスプールセンサ３６も収納されている。スプールセンサ３６は、スプール回転方向に並べて配置された第１リードスイッチ３６ａ及び第２リードスイッチ３６ｂと、を有している。スプール１４のスプール軸１４ａの一端には、第１リードスイッチ３６ａ及び第２リードスイッチ３６ｂをオンオフするための第１磁石３７ａ及び第２磁石３７ｂが直径に配置された回転体３７が固定されている。この第１磁石３７ａ及び第２磁石３７ｂの通過により第１リードスイッチ３６ａ及び第２リードスイッチ３６ｂのいずれが先にオンしたかにより、スプール１４の回転方向に検出できる。また、第１リードスイッチ３６ａまたは第２リードスイッチ３６ｂの出力パルスを計数することにより、スプール回転数を検出できる。スプール回転数は、スプール１４の回転速度ではなく、釣り糸の巻き取りを開始してからスプール１４が何回転したかを表しており、スプールの回転位置を示している。
【００２５】
カウンタ１５は、上下に分割された概ね箱状のケース１６を有している。ケース１６の内部は、外部に対して水密に封止されている。ケース１６には、図３及び図４に示すように、仕掛けの水深や棚位置を水面からと底からとの２つの基準で表示するための液晶ディスプレイからなる表示ユニット２０と、操作キー部２１とが設けられている。操作キー部２１は、表示ユニット２０の図２及び図４左側に配置された第１スイッチＳＷ１及び第２スイッチＳＷ２を有している。第１スイッチＳＷ１は、表示ユニット２０のオンオフ及び表示モードを上からモードと底からモードへの切り換えとを主に操作するために使用される。第２スイッチＳＷ２は、主に棚位置や底位置をセット及び仕掛けを水面に配置したときの水深を０にセットするために使用される。また第１スイッチＳＷ１及び第２スイッチＳＷ２の単独の長押し操作及び両方の長押し操作等により種々の操作を行える。例えば、表示ユニット２０がオンしているときに、第１スイッチＳＷ１を、例えば３秒以上長押し操作を行うと、表示ユニット２０をオフすることができる。また、表示ユニット２０がオンしているときに、第１スイッチＳＷ１及び第２スイッチＳＷ２を、例えば３秒以上の長押し操作を行うと、スプール回転数と糸長との関係を設定する糸巻モードに入ることができる。
【００２６】
ケース１６の内部には、図３に示すように、表示ユニット２０と、表示ユニット２０及び操作キー部２１に接続された制御部３０と、制御部３０及び表示ユニット２０への電力の供給及び第２電源３２の充電に使用される太陽電池からなる第１電源３１と、が配置されている。第１電源３１は、表示ユニット２０の側方（図３右方）に並べて配置されている。制御部３０は、ＣＰＵ，ＲＡＭ，ＲＯＭ，Ｉ／Ｏインターフェイス等を含むマイクロコンピュータを備えており、制御プログラムに従って表示制御等の各種の制御動作を実行する。
【００２７】
制御部３０には、図５に示すように、操作キー部２１と、スプールセンサ３６と、各種の警報を発するブザーからなるアラーム４０と、表示ユニット２０と、各種情報を記憶するＥＥＰＲＯＭ等の不揮発メモリからなる記憶部４１と、が接続されている。また、制御部３０には、第２電源３２の電圧を検出する電圧検出部４２と、第１電源３１と、第２電源３２と、が接続されている。制御部３０は、第１電源３１及び第２電源３２から供給された電力により動作する。制御部３０は、通常は、第１電源３１で駆動されるが、第１電源３１の発電量が十分ではない場合は、第２電源３２により駆動される。第１電源３１は、余分の電力を第２電源３２に充電する。
【００２８】
第１電源３１の太陽電池３１ａは、図３に示すように、コイルスプリング形状で弾性を有する２つの出力端子３８により発電した電力を制御部３０に与えている。出力端子３８は、第１電源３１の太陽電池３１ａの受光面と逆側の面（図３の下面）を付勢している。出力端子３８が接触する太陽電池３１の下面には、出力端子の錆び等を防止するために、カーボン電極が形成されている。第１電源３１及び表示ユニット２０の下方には、制御部３０が搭載された回路基板４５が設けられている。第１電源３１及び表示ユニット２０の上方には、ケース１６に設けられた開口１９ａにはめ込まれた透明樹脂製の窓部材１６ａが設けられている。出力端子３８は、回路基板４５と第１電源３１との間に圧縮状態で配置され、第１電源３１を窓部材１６ａに向けて付勢している。
【００２９】
窓部材１６ａの裏面には、第１電源３１と表示ユニット２０との隙間を隠すために、図４に示すように、印刷が施されている。
【００３０】
図４に示すように、仕掛けの水深等を７セグメントで文字表示する第１水深表示部２０ａと、棚位置等を７セグメントで文字表示する第２水深表示部２０ｂと、第２電源３２の残量を例えば三段階で表示する残量表示部２０ｃと、第１電源３１が発電しているか否かを示す発電表示部２０ｄとが設けられている。第１水深表示部２０ａは、表示ユニット２０の表示面の半分以上を占める大きさである。第２水深表示部２０ｂは、第１水深表示部２０ａより小さく、第１水深表示部２０ａの右方に配置されている。残量表示部２０ｃは、第２水深表示部２０ｂの上方に配置されている。残量表示部２０ｃは、電池を模した図形内に並べて配置された３つのブロックがオンオフして第２電源３２の残量を表している。
【００３１】
発電表示部２０ｄは、第１電源３１で制御部３０が動作しているとき及び第１電源３１が第２電源３２を充電している際にオンする。したがって、この発電表示部２０ｄを見ることにより、第１電源３１で制御部３０が動作しているのか、第１電源３１発電しているのかを、瞬時に釣り人が判断できる。また、夜釣りや太陽光が十分ではない状態でも、釣りを楽しむことができる。
【００３２】
また、発電表示部２０ｄの上方には、糸巻モードの普通学習処理が選択された場合にオンする普通学習表示部２０ｅが配置され、下方には、糸巻モードの下巻学習処理が選択された場合にオンする下巻学習表示部２０ｆが配置されている。第１水深表示部２０ａと残量表示部２０ｃとの間には、底からモードが選択されるとオンする表示モード表示部２０ｇが配置されている。なお、上からモードとは、第１水深表示部２０ａで仕掛けの水面からの距離を表示する表示モードである。また、底からモードとは、仕掛けの海底からの距離を表示する表示モードである。
【００３３】
記憶部４１には、後述する糸巻モードが指定モードの際の複数種類の釣り糸の異なる長さの全長におけるスプール回転数と糸長との関係が記憶されている。例えば、超高分子量ポリエチレン製のより糸でできた、いわゆるＰＥラインの４号１００と、３号１５０ｍと、２号２００ｍの糸巻データが格納されている。また、記憶部４１には、異なる型番のリールの糸巻データも格納されており、カウンタ１５は、異なる型番の両軸受リールと共通化を図っている。
【００３４】
＜他の構成＞
リール本体１１のフレーム１７内には、ハンドル１２に連結されたスプール１４が回転自在に支持されている。スプール１４の内部には、図３に示すように、スプール軸１４ａが貫通している。また、リール本体１１の後部（図１下部）にはクラッチレバー２３が揺動自在に装着されている。クラッチレバー２３は、スプール１４をハンドル１２に連結されたクラッチオン状態とハンドル１２との連結が解除されたクラッチオフ状態とに操作するための部材である。このクラッチレバー２３により図示しないクラッチをオンすると、自重による仕掛けの糸繰り出し中に、糸繰り出し動作を停止できる。
【００３５】
また、リール本体１１の内部には、図３に示すように、スプール１４に連動して動作するレベルワインド機構（図示せず）やハンドル１２の回転をスプール１４に伝達する伝達機構（図示せず）等が設けられている。
【００３６】
次に、本実施形態の糸長計測装置５０のソフトウェアを含む機能構成について、図５に基づいて説明する。
【００３７】
本実施形態の糸長計測装置５０は、第１電源３１と、第２電源３２と、記憶部４１と、糸巻学習部５１、不成立報知部５２、及び糸長算出部５３として機能する制御部３０と、糸巻データ選択部５４として機能する操作キー部２１と、を含んでいる。第１電源３１は、太陽電池３１ａを有する。第２電源３２は、第１電源３１により充電される二次電池３２ａを含んでいる。糸巻学習部５１は、少なくとも第２電源３２から電力により動作し、スプール回転数と糸長との関係を学習する。不成立報知部５２は、糸巻学習部５１がスプール回転数と糸長との関係の学習不成立だったときに学習不成立を報知する。記憶部４１は、複数種類の釣り糸の異なる全長におけるスプール回転数と糸長との関係を示す複数の糸巻データを予め記憶している。糸巻データ選択部５４は、記憶部４１に記憶された複数の糸巻データから一つを選択可能である。糸長算出部５３は、不成立報知部５２が学習不成立を報知すると、糸巻データ選択部５４により糸巻データの選択操作を可能にし、その選択結果により糸長を算出し、学習不成立が報知されないと、糸巻学習部５１で学習されたスプール回転数と糸長との関係により糸長を算出する。
【００３８】
＜制御部の制御動作＞
図６において、第１電源３１又は第２電源３２から制御部３０に動作可能な電力が供給されると、制御部３０は動作を開始する。ステップＳ１では、初期設定がなされる。初期設定では、表示モードが上からモードに設定される。
【００３９】
ステップＳ２では操作キー部２１の第１スイッチＳＷ１及び第２スイッチＳＷ２の操作によるキー入力が行われたか否かを判断する。ステップＳ３では、釣り糸の巻き取り又は繰り出しによりスプール１４が回転したか否かを判断する。ステップＳ４ではその他の処理が指定されたか否かを判断する。
【００４０】
キー入力がなされると、ステップＳ２からステップＳ６に移行し、図７に示すキー入力処理を行う。スプール１４が回転すると、ステップＳ３からステップＳ７に移行し、図１０に示す各動作モード処理を行う。その他の処理が選択されると、ステップＳ４からステップＳ８に移行し、選択されたその他の処理を行う。
【００４１】
図７に示すキー入力処理では、ステップＳ１１で第１スイッチＳＷ１が単独で３秒未満通常操作されたか否かを判断する。この第１スイッチＳＷは、キー入力処理による通常操作では、表示ユニット２０の表示オン及び表示モードの切り換えを行う。ステップＳ１２では、第１スイッチＳＷ１と第２スイッチＳＷ２とが同時に３秒以上長押し操作されたか否かを判断する。ステップＳ１３では、第２スイッチＳＷ２が単独で３秒未満通常操作されたか否かを判断する。ステップＳ１４では、第１スイッチＳＷ１が単独で３秒以上長押し操作されたか否かを判断する。ステップＳ１５では、第２スイッチＳＷ２が単独で３秒以上長押し操作されたか否かを判断する。
【００４２】
第１スイッチＳＷ１が単独で通常操作されると、ステップＳ１１からステップＳ１６に移行する。ステップＳ１６では、表示ユニット２０がすでに表示オンになっているか否かを判断する。まだ表示オンになっていない場合は、ステップＳ１７に移行し、表示ユニット２０をオンし、ステップＳ１２に移行する。すでに表示ユニット２０が表示オンしている場合は、ステップＳ１６からステップＳ１８に移行する。ステップＳ１８では、表示モードが上からモードか否かを判断する。表示モードが底からモードの時は、ステップＳ１９に移行し、表示モードを上からモードに設定し、ステップＳ１２に移行する。表示モードが上からモードの時は、ステップＳ１８からステップＳ２０に移行し、表示モードを底からモードに設定し、ステップＳ１２に移行する。ここでは、一度表示ユニット２０がオンすると、第１スイッチＳＷ１で表示モードを切り換えできる。なお、表示ユニット２０は、所定時間経過してもキー入力及びスプール回転の少なくともいずれかがないと自動的にオフする。
【００４３】
第１スイッチＳＷ１と第２スイッチＳＷ２とが同時に所定時間以上（例えば３秒以上）の長押し操作されると、ステップＳ１２からステップＳ２１に移行し、図８に示す糸巻モード処理に移行し、糸巻モード処理を実行してステップＳ１３に移行する。この糸巻モード処理は、スプール回転数と糸長について釣り糸の全長にわたり設定する処理であり、その詳細については後述する。
【００４４】
第２スイッチＳＷ２は、主に棚又は底の水深をメモするために使用される。第２スイッチＳＷが単独で通常操作されると、ステップＳ１３からステップＳ２２に移行する。ステップＳ２２では、表示モードが上からモードか否かを判断する。表示モードが底からモードのときは、ステップＳ２３に移行する。ステップＳ２３では、メモされた底の水深を示す表示データＢＬＸを０にセットし、ステップＳ１４に移行する。これにより、表示ユニット２０の第１水深表示部２０ａに仕掛けの底からの距離が表示されるとともに、第２水深表示部２０ｂに水面からの底の水深が表示される。また、表示モード表示部２０ｇがオンし、「底」の文字が表示される。なお、底からモードの時は、水面から１０ｍ未満の水深まで仕掛けが巻き上げられると、自動的に上からモードの表示に変更される。これにより、船縁で釣り糸の巻き上げを止める目安とすることができる。
【００４５】
表示モードが底からモードのときは、ステップＳ２２からステップＳ２４に移行し、第１水深表示部２０ａに水面からの仕掛けの水深ＬＸを表示する。また、そのときの水深ＬＸを棚位置ＭＤとして記憶部４１にセットするとともに、第２水深表示部２０ｂに表示し、ステップＳ１４に移行する。
【００４６】
第１スイッチＳＷ１が単独で長押し操作されると、ステップＳ１４からステップＳ２５に移行する。ステップＳ２５では、表示ユニット２０が表示オンしているか否かを判断する。表示ユニット２０が表示オンしていると、ステップＳ２６に移行し、表示ユニット２０をオフし、ステップＳ１５に移行する。表示オンしていない場合、何も動作せずにステップＳ１５に移行する。なお、表示ユニット２０は、所定時間経過してもキー入力及びスプール回転がないと自動的にオフする。これにより、第２電源が無駄に消耗しなくなる。
【００４７】
第２スイッチＳＷ２が単独で長押し操作されると、ステップＳ１５からステップＳ２７に移行する。ステップＳ２７では、釣り用リールセット処理が行われメインルーチンに戻る。この０セット処理は、仕掛けを水面に配置してこの操作を行うと、そのときの水深ＬＸが０に設定される。
【００４８】
図８に示す糸巻モード処理では、ステップＳ３１で、釣り人が普通学習を選択したか否かを判断する。ステップＳ３２では、下巻学習を選択したか否かを判断する。ステップＳ３３では、指定糸巻モードか否かを判断する。この指定糸巻モードは、複数種類の釣り糸の異なる全長におけるスプール回転数と糸長との関係を示す複数の糸巻データを記憶部４１から読み出して設定するモードである。この実施形態では、例えば、ポリエチレン繊維を複数合わせて編み込んだ釣り糸、すなわちＰＥラインの４号１００ｍ、３号１５０ｍ、２号２００ｍの３種類の釣り糸の全長にわたるスプール回転数と糸長との関係とを示す糸巻きデータが予め記憶部４１に記憶されている。なお、糸巻きデータの選択は、糸巻きモードに入った後に第１スイッチＳＷ１の通常操作の回数により選択できる。すなわち、第１スイッチＳＷ１を１回操作すると普通学習を選択し、２回操作すると下巻学習を選択し、３回操作すると指定糸巻モードを選択できる。選択の確定は、第２スイッチＳＷ２を長押し操作により行える。
【００４９】
普通学習が選択されると、ステップＳ３１からステップＳ３４に移行する。ステップＳ３４では、図９に示す普通学習処理が実行され、普通学習が終わるキー入力ルーチンに戻る。普通学習処理では、釣り糸をスプールに巻き付け、釣り糸を巻き付け終了すると、第２スイッチＳＷ２を３秒以上長押する。そして、釣り糸に付けられた長さを表すマークを参考にして１０ｍ分釣り糸を引き出して、再度第２スイッチＳＷを長押しして学習を終了する。普通学習モードに入ると、図１１（ａ）に示すように、表示ユニット２０の第１水深表示部２０ａにスプール回転数（最初は０）が表示される。
【００５０】
具体的には、図１０のステップＳ５１で糸巻取りが開始されたか否かを判断する。この判断は、スプールセンサ３６によりスプール１４が回転を開始したことを検出したことにより判断する。ステップＳ５２では、糸巻取りが終了したか否かを判断する。この判断は、第２スイッチＳＷ２の長押し操作がなされたか否かにより判断する。糸巻取りが終了した後、たとえば１０ｍ釣り糸を繰り出してスプール回転数とスプール１回転当たりの糸長との関係を学習する。ステップＳ５３では、その１０ｍの繰り出しが終了したか否かを判断する。この判断も第２スイッチＳＷ２の長押し操作がなされたか否かにより判断する。なお、釣り糸にたとえば１０ｍ毎に異なる色づけがなされている場合には、上記繰り出し操作が行えるが、釣り糸によっては色づけがなされていない場合がある。このような場合には、１０ｍの釣り糸を先端に結んでさらに１０ｍ釣り糸を巻き取ってもよい。ステップＳ５４では、電圧検出部４２により第２電源３２の電圧が所定電圧（例えば、第２電源３２が３ボルトの定格電圧の場合、１．８ボルト）以下に低下したか否かを判断する。この所定電圧は、制御部３０はとりあえず動作するが記憶部４１に記憶する動作が保証できない程度の電圧である。所定電圧以下の場合は、ステップＳ５５に移行する。ステップＳ５５では、学習不成立を報知する。具体的には、図１１（ｂ）に示すように、アラーム４０を鳴らすとともに、第１水深表示部２０ａに学習不成立であることを示す「Ｅｒ２」の文字を表示し、普通学習処理を終了し、キー入力処理に戻る。電圧低下していない場合は、ステップＳ５１に戻る。
【００５１】
糸巻取りが開始されるとステップＳ５１からステップＳ５６に移行する。ステップＳ５６では、スプール回転数Ｘをスプールセンサ３６の所定パルス間隔の計数値に応じて増加させる。たとえば、スプールセンサ３６がスプール１回転当たり１０パルス出力するときには、スプールセンサ３６が１０パルス出力するとスプール回転数Ｘを１増加する。
【００５２】
糸巻取りが終了してスプール１４の回転が停止するとステップＳ５２からステップＳ５７に移行する。ステップＳ５７では、巻き取り完了したときのスプール回転数Ｘを総回転数ｃにセットする。ステップＳ５８では、釣り糸の繰り出しに応じてスプール回転数Ｘを減じていく。この減算もステップＳ５６と同様にたとえばスプールセンサ３６が１０パルス出力するとスプール回転数Ｘを１減少させる。
【００５３】
糸繰り出しが終了するとステップＳ５３からステップＳ５９に移行する。ステップＳ５９では、スプール総回転数ｃから繰り出しにより減少したスプール回転数Ｘを減算し、減算値を繰り出し回転数ｄにセットする。この繰り出し回転数ｄが１０ｍ釣り糸を繰り出したときのスプール１４の回転数である。ステップＳ６０では、記憶部４１から糸巻径Ｂπ及び繰り出し長さＳを読み出す。この２つのデータは、あらかじめ記憶部４１に書き込まれている。
【００５４】
ステップＳ６１では、得られた４つのデータｃ，ｄ，Ｂπ，Ｓによりスプール一回転当たりの糸長（Ｙ）とスプール回転数（Ｘ）との関係を近似した一次関数（Ｙ＝ＡＸ＋Ｂπ）の傾きＡを求め、その一次関数を算出する。これにより、糸径及び長さが未知の釣り糸の全長にわたる、スプール１回転当たりの糸長Ｙとスプール回転数Ｘとの関係が決定される。ステップＳ６２では、得られた一次関数を積分処理して巻き初めから巻終わりまでのスプール回転数Ｘと糸長ＬＮとの関係を算出する。そして、巻終わりを水深０にセットして糸長ＬＮを糸長に変換する。これによりスプール回転数Ｘと糸長との関係が決定される。
【００５５】
ステップＳ６３では、得られたスプール回転数Ｘと糸長の関係をマップ形式で記憶部４１に記憶してメインルーチンに戻る。これにより、前述した学習処理が実行され、釣り糸全体にわたる学習を行うことなく最終部分のみの学習で糸巻径により変化するスプール回転数と糸長との関係を補正できる。これらの処理が終了するとキー入力ルーチンに戻る。
【００５６】
下巻学習が選択されるとステップＳ３２からステップＳ３５に移行して下巻学習処理がじんこうされる。この下巻学習処理では、下巻糸をスプール１４の所定の目印の位置まで巻き付け、巻き付けた下巻糸に実際に使用する釣り糸を巻き付けて普通学習と同様の手順で学習を行い、キー入力サブルーチンに戻る。
【００５７】
指定糸巻きモードが設定されると、ステップＳ３３からステップＳ３６に移行する。ステップＳ３６では、図１２（ａ）に示す指定選択画面が表示される。ここでは、第１水深表示部２０ａに釣り糸種類が表示され、第２水深表示部２０ｂにその全長が表示される。この実施形態では、まず４号１００ｍの釣り糸が選択されたか否かを判断する。釣り人の第２スイッチＳＷの長押し操作により４号１００ｍの釣り糸が選択されると、ステップＳ３７に移行し、記憶部４１から４号１００ｍの糸巻きデータを読み出す。
【００５８】
釣り人が再度第１スイッチＳＷを通常操作し、４号１００ｍの釣り糸が選択されていないと判断すると、ステップＳ３６からステップＳ３８に移行し、図示しない３号１５０ｍの画面を表示し、第２スイッチＳＷ２の長押し操作により３号１５０ｍの釣り糸が選択されたか否かを判断する。３号１００ｍの釣り糸が選択されると、ステップＳ３９に移行し、記憶部４１から３号１５０ｍの糸巻きデータを読み出す。
【００５９】
釣り人が再度第１スイッチＳＷを通常操作し、３号１５０ｍの釣り糸が選択されていないと判断すると、ステップＳ３８からステップＳ４０に移行し、図１２（ｂ）に示す２号２００ｍの画面を表示する。こで、第２スイッチＳＷ２の長押し操作により２号２００ｍの釣り糸が選択されたと判断すると、ステップＳ４１に移行する。ステップＳ４１では、記憶部４１から２号１００ｍの糸巻きデータを読み出す。釣り人が再度第１スイッチＳＷを通常操作し、２号１００ｍの釣り糸が選択されていないと判断すると、処理を終了してキー入力ルーチンに戻る。この指定糸巻きモードでは、普通学習モードより表示精度は落ちるが、釣り糸をスプール１４に巻き付けるだけで、簡単に糸巻きデータを設定できる。
【００６０】
図６のステップＳ７の各動作モード処理では、図１０のステップＳ７１でスプール１４の回転方向が糸繰り出し方向か否かを判断する。この判断は、スプールセンサ３６の第１リードスイッチ３６ａ及び第２リードスイッチ３６ｂのいずれが先にパルスを発したか否かにより判断する。スプール１４の回転方向が糸繰り出し方向と判断するとステップＳ７１からステップＳ７２に移行する。
【００６１】
ステップＳ７２では、スプール回転数Ｘを１ずつ減少させる。ステップＳ７３では、所定回転数減少する毎にスプール回転数Ｘから記憶部４１に記憶されたデータを読み出し、繰り出された糸長を算出しさらに糸長から水深ＬＸを算出する。ステップＳ７４では、得られた水深ＬＸが棚位置ＭＤに一致したか、つまり、仕掛けが棚に到達したか否かを判断する。棚位置は、前述したように仕掛けが棚に到達したときに第１スイッチＳＷ１を長押しすることによって記憶部４１にセットされる。ステップＳ７５では、他のモードか否かを判断する。他のモードではない場合には、各動作モード処理を終わりメインルーチンに戻る。
【００６２】
水深が棚位置に一致するとステップＳ７４からステップＳ７６に移行し、仕掛けが棚に到達したことを報知するためにアラーム４０を鳴らす。他のモードの場合には、ステップＳ７５からステップＳ７７に移行し、指定された他のモードを実行する。
【００６３】
スプール１４の回転が糸巻取り方向と判断するとステップＳ７１からステップＳ８２に移行する。ステップＳ８２では、スプール回転数を１ずつ増加させる。ステップＳ８３では、増加する毎にスプール回転数Ｘから記憶部４１に記憶されたデータを読み出し、巻き取られた糸長を算出してさらに水深ＬＸを算出する。ステップＳ８４では、水深ＬＸが船縁停止位置に一致したか否かを判断する。船縁停止位置まで巻き取っていない場合にはメインルーチンに戻る。
【００６４】
船縁停止位置に到達するとステップＳ８４からステップＳ８５に移行する。ステップＳ８５では、仕掛けが船縁にあることを報知するためにアラーム４０を鳴らす。これにより魚が釣れたときに取り込みやすい位置に魚が配置される。この船縁停止位置は、たとえば水深６ｍ以内で所定時間以上スプール１４が停止しているとセットされる。
【００６５】
＜特徴＞
（Ａ）糸長計測装置５０は、スプール１４から繰り出されている釣り糸の糸長をスプール回転数Ｘに基づいて計測する装置である。糸長計測装置５０は、第１電源３１と、第２電源３２と、糸巻学習部５１と、不成立報知部５２と、記憶部４１と、糸巻データ選択部５４と、糸長算出部５３と、を備えている。第１電源３１は、太陽電池３１ａを有する。第２電源３２は、第１電源３１により充電される。糸巻学習部５１は、少なくとも第２電源３２から電力により動作し、スプール回転数と糸長との関係を学習する。不成立報知部５２は、糸巻学習部５１がスプール回転数と糸長との関係の学習不成立だったときに学習不成立を報知する。記憶部４１は、複数種類の釣り糸の異なる全長におけるスプール回転数Ｘと糸長との関係を示す複数の糸巻データを予め記憶している。糸巻データ選択部５４は、記憶部４１に記憶された複数の糸巻データから一つを選択可能である。糸長算出部５３は、不成立報知部５２が学習不成立を報知すると、糸巻データ選択部５４により糸巻データの選択操作を可能にし、その選択結果により糸長を算出し、学習不成立が報知されないと、糸巻学習部５１で学習されたスプール回転数と糸長との関係により糸長を算出する。
【００６６】
この糸長計測装置５０では、太陽電池３１ａを有する第１電源３１から第２電源３２に電力が充電され、その電力で糸巻学習部５１が動作する。この動作中に第２電源３２の電力が低下して糸巻学習部５１によるスプール回転数と糸長との関係の学習が不成立になると、予め記憶された糸巻データの選択を行える。ここでは、学習が不成立であっても標準データではなく、複数の糸巻データから学習している釣り糸に近い糸巻データを選択できる。このため、学習が中断されてもスプール回転数に対する糸長を容易にかつ精度良く計測できるようになる。
【００６７】
（Ｂ）糸長計測装置５０において、釣り用リールは、手巻きの両軸受リール１０であり、第２電源３２はボタン型の二次電池３２ａである。この場合には、第２電源３２がボタン型の二次電池３２ａであるので、第１電源３１及び第２電源３２を設けても、第２電源３２のスペースの増加を抑えることができる。
【００６８】
（Ｃ）糸長計測装置５０において、糸長算出結果を表示する表示ユニット２０をさらに備え、糸長算出部５３は、不成立報知部５２が学習不成立を報知すると、糸巻データ選択部５４の選択画面を表示ユニット２０に表示する。この場合には、糸巻データの選択操作を行う選択画面が自動的に表示されるので、糸巻データの選択操作が容易になる。
【００６９】
（Ｄ）糸長計測装置において、太陽電池３１ａは、表示ユニット２０に並べて配置されている。この場合には、太陽電池３１ａが表示ユニット２０に並べて配置されているので、封止される表示ユニット２０に太陽電池３１ａを配置できる。
【００７０】
（Ｅ）糸長計測装置５０において、太陽電池３１ａに電気的に接続され、太陽電池３１ａの受光面と逆側の面を付勢する弾性出力端子をさらに備える。この場合には、太陽電池３１ａから発生した電力を第２電源３２に出力するための出力端子が弾性を有し、太陽電池３１ａを付勢している。このため、太陽電池３１ａを例えばケース１６内に設けても太陽電池３１ａががたつきにくくなり、太陽電池３１ａを装置内に組み込みやすくなる。
【００７１】
＜他の実施形態＞
（ａ）前記実施形態では、普通学習が不成立の場合、第１水深表示部２０ａにその旨を表示するとともに、アラーム４０をならすだけであった。しかし、本発明はこれに限定されない。例えば、図１３に示すように、学習不成立を報知した後に図８のステップＳ３３に移行して指定糸巻きモードの選択画面を表示するようにしてもよい。
【００７２】
（ｂ）前記実施形態では、手巻きの表示機能付きの両軸受リールを例に本発明を説明した。しかし、釣り用リールとして、電池で駆動される電動リールにも適用できる。
【符号の説明】
【００７３】
１４    スプール
１５    カウンタ
２０    表示ユニット
３１    第１電源
３１ａ  太陽電池
３２    第２電源
３２ａ  二次電池
４１    記憶部
４２    電圧検出部
４５    回路基板
５０    糸長計測装置
５１    糸巻学習部
５２    不成立報知部
５３    糸長算出部
５４    糸巻データ選択部
【図１】
0005560048.tif 000002
【図２】
0005560048.tif 000003
【図３】
0005560048.tif 000004
【図４】
0005560048.tif 000005
【図５】
0005560048.tif 000006
【図６】
0005560048.tif 000007
【図７】
0005560048.tif 000008
【図８】
0005560048.tif 000009
【図９】
0005560048.tif 000010
【図１０】
0005560048.tif 000011
【図１１】
0005560048.tif 000012
【図１２】
0005560048.tif 000013
【図１３】
0005560048.tif 000014